(57)【要約】      （修正有）【課題】  特に丸首シャツ、ハイネックシャツなど衣類の襟首をひっぱったりせずハンガーの着脱を可能にする。また、開閉動作が生じるため、広範囲にそして円滑に開閉し、使用時には安定したものにする。【解決手段】  左右の握持部１が上部に位置する回動部Ａにて接合され、左右の握持部１からなる掛部２，６そして、掛部２，６からなるフレーム部３，７を下部に有する衣類ハンガーに於て、一方の掛部６には、楕円状の回動部、そして同面フレーム部７には上部へのみ移動を可能とする回動部Ｂをそれぞれ設け、握持部１を閉じることにより一方の掛部６が上昇し、握持部１を解放することによりバネＤ力にてハンガー状となる定位置へと戻る。以上動作にて衣類の片方をもちあげ一方のみが開閉しハンガーの着脱を可能とする。また、一体形となる開閉しない一方の握持部からフック部が形成される。【選択図】  図１
2006122628.tif 000002
【特許請求の範囲】
【請求項１】
左右の握持部が上部に位置する回動部にて接合され、左右の握持部からなる掛部そして掛部からなるフレーム部を下部に有する衣類ハンガーに於て、左右に位置する掛部及びフレーム部の一方にそれぞれ回動部をもうけ、握持部を閉じることにより一方の掛部が上昇し、握持部を解放することによりバネ力にて下降しハンガー状となる定位置へと戻る。以上の動作にて衣類の片方をもちあげ一方のみが開閉する、片方開閉式ハンガー。
【請求項２】
請求項１記載の片方開閉式ハンガーに於て、開閉を可能とする一方の掛部に有する回動部に楕円状の回動部を用い、より広範囲にそして円滑に一方のみが開閉する、片方開閉式ハンガー。
【請求項３】
請求項１、請求項２記載の片方開閉式ハンガーに於て、握持部、掛部、フレーム部が一体形となる開閉しない一方の握持部からフック部が形成され、風などの衝撃による開閉する一方の掛部の上昇を防止する、片方開閉式ハンガー。
【発明の詳細な説明】
【技術分野】
【０００１】  本発明は、左右に位置する掛け部の片方のみが、握持部をを閉じることにより上部へ移動し開閉する、開閉式ハンガーに関する。
【背景技術】
【０００２】  開閉式のハンガーとなれば、左右双方の掛け部が下方から平行にバネや握力の力を利用し上昇させ形状を維持するものが多く見られるが、双方の掛け部を上昇させるためには衣類の肩の部分を持ち上げる力が必要とされ、衣類の素材や重量また挿入される位置によっては完全に開かなくなってしまう難点がよくあり、特に洗濯され水分を含んだ衣類では困難であった。【０００３】  本発明は、左右に位置する掛け部の片方のみが、握持部をを閉じることにより上部へ移動するため衣類の片方を持ち上げ開閉するものでありこのような衣類ハンガーはなかった。
【発明の開示】
【発明が解決しようとする課題】
【０００４】  特に丸首のシャツやハイネックシャツ、また、ボタンどめされた衣類などをハンガ−に掛け外しをする時には、襟首をひっぱっりハンガ−を出し入れするため生地を痛めてしまうことがあり無理に使用すると襟首が伸びて肩崩れしてしまうことがあった。また伸縮性のない衣類では裾口などから出し入れを余儀なくされわずらわしい作業であった。
このような問題を解決しようとするものであり、襟首を無理にひっぱっりたりせずハンガーを出し入れすることを目的とするものである。【０００５】  また、本発明は、一方に開閉する動きが生じるため、広範囲にそして円滑に開閉し使用時には安定したものであることが要求される。また、開閉操作は作業の効率上片手で操作できることが必須である。
【課題を解決するための手段】
【０００６】  請求項１記載の発明は、左右の握持部が上部に位置する回動部にて接合され左右の握持部からなる掛部そして掛部からなるフレーム部を下部に有する衣類ハンガーに於て、左右に位置する掛部及びフレーム部の一方にそれぞれ回動部をもうけ、握持部を閉じることにより一方の掛部が上昇し、握持部を解放することによりバネ力にて下降しハンガー状となる定位置へと戻る。以上の動作にて衣類の片方を持ち上げ一方のみが開閉する、片方開閉式ハンガー。【０００７】  従って、一方の握持部及び、掛部、フレーム部は一体形であり作動せず、もう一方となる回動部を有する掛部及び、フレーム部が握持部を片手で握られ閉じることにより上昇する。また、握持部には連動するバネが有しており、握られた握持部を解放することによりバネ力にて上昇した、掛部及びフレーム部が下降しハンガー状に復元され一方のみが開閉する。以上の動作にて衣類の片方を持ち上げ開閉し、襟首を無理にひっぱっりたりせずハンガーの出し入れを可能とするものである。【０００８】  請求項２記載の発明は、請求項１記載の片方開閉式ハンガーに於て、開閉を可能とする一方の掛部に有する回動部に楕円状の回動部を用い、広範囲にそして円滑に一方のみが開閉する、片方開閉式ハンガー。【０００９】  従って、左右に有する握持部を接合する回動部を中心とした掛部に有する回動部の円周と、フレーム部に有する回動部を中心とした掛部に有する回動部の円周とでは、掛部に有する回動部に誤差が生じてしまう、この問題を克服するため一例として開閉する一方の掛部６が弾力性を有することにより十分開閉することができる。しかし、より広範囲にそして円滑に開閉させるため、掛部に有する回動部には細長い楕円状の回動部が用いられる、この楕円状の回動部は掛部からなり形成され、握持部からなる回動軸部と接合する、これにより円滑に広範囲に開閉する。【００１０】  請求項３記載の発明は、請求項１、請求項２記載の片方開閉式ハンガーに於て、握持部、掛部、フレーム部が一体形となる開閉しない一方の握持部からフック部が形成され、風などの衝撃による開閉する一方の掛部の上昇を防止する、片方開閉式ハンガー。【００１１】  従って、握持部、掛部、フレーム部が一体形となる一方の握持部からフック部が形成される。例えば逆の開閉する一方の握持部からフック部が形成され、衣類が掛けられ物干し竿等に吊り下げられた場合、風などの衝撃を一体形となる開閉しない方面の側面から受けると、開閉する一方の握持部が閉じられ掛部が上昇してしまう場合がある、このような影響を回避するため、開閉しない一方の握持部からフック部が形成されている。これにより風などの衝撃による開閉する一方の掛部の上昇を防止し安定したものとなる。
【発明の効果】
【００１２】  このようにすれば、片手で操作でき一体形となる掛部からハンガ−が挿入され衣類の片方が保持される、そしてもう一方の片手で衣類の肩の部分が持ち上げられ開閉が行われるため襟首を無理にひっぱっりたりせずハンガ−を出し入れすることができる、また、片手で衣類の肩の部分が持ち上げられているため掛部の通り道ができ開閉には負荷が少なく作業効率のよいものである。【００１３】  また、楕円状を用いることにより、広範囲にそして円滑に開閉がおこなえるため、小さな襟首や伸縮性のない衣類でも無理なくハンガーの出し入れができ、開閉もスムーズである。【００１４】  また、一体形となる一方の握持部からフック部が形成することにより、風などの衝撃による開閉する一方の掛部の上昇を防止するため、屋外でも使用できる。
【発明を実施するための最良の形態】
【００１５】  以上の実施形態について以下、図を参照して説明する。【００１６】  図１、２に示す  上部にて左右の握持部１、４が回動部Ａにて接合され連動するバネＤを有する、開閉しない一方の握持部１掛部２フレーム部３は一体形であり、もう一方のフレーム部に設られた回動部Ｃまで有する。開閉を可能とするもう一方の握持部４、握持部からなる掛部５、掛部６が形成され、掛部の回動部Ｂが設けられる、フレーム部７には、上部のみ回動を可能とするフレーム部の回動部Ｃが設けられそれぞれ接合されハンガー状に形成する。【００１７】  上記構成の動作を説明する。一方の握持部１及び、掛部２フレーム３部は一体形であり作動せず、もう一方となる回動部Ｂ、Ｃを有する掛部５及びフレーム部６が、握持部４を握持部１の方向へ片手で握り閉じられることにより上昇する、そして握持部には連動するバネＤが有しており、閉じられた握持部を解放することによりバネ力にて下降しハンガー状に定位置へと戻り復元され一方のみが開閉を可能とする。【００１８】  本発明の使用例を衣類を用い説明する。
図３、４、５、６に示す  片手で衣類の襟首がつかまれ、一体形となる掛部２、フレーム３部が、衣類の襟首に挿入され衣類の片方が保持される図３参照。つづいて握持部４を握持部１の方向へ閉じ、掛部６が上昇する、襟首がつかまれていた片手は衣類の肩の方向へと少し移動し襟首端または肩の部分がつかまれ、掛部６が上昇した位置程度まで持ち上げられる図４、５参照この動作にて上昇した掛部６が衣類の中へと進入し、掛部６の開閉する通り道がつくられる。この持ち上げられた状態で閉じられていた握持部４を解放すると、掛部６が降下しハンガーとなる形状が復元され衣類が保持される図６参照。【００１９】  また、取り外しには、上記同様に掛部６が上昇した位置程度まで衣類の片方を持ち上げ、握持部４を握持部１の方向へ閉じ掛部６を上昇させる、図６参照。この状態で持ち上げられていた衣類を下げると取り外しが可能となる。本発明はこのように使用することを目的とし開発されたものである。以上請求項１記載のハンガーに係るものである。【００２０】  図２、７に示す  掛部に有する回動部Ｂには掛部６からなる楕円状の回動部６ａが垂直に設けられ、握持部４からなる回動軸部５ａにて接合される。また、握持部からなる掛部５には回動溝５ｂが設けられ下部には突出を防止するための幅５ｃを有する。【００２１】  上記構成の動作を説明する。握持部４が閉じられることにより、握持部４からなる回動軸部５ａは回動部Ａを中心とした円周に沿い一体形となる方向へ移動する、これにより接合する楕円状回動部６ａは、楕円状の上部から下部へさらに上部へと移動しながら回動し掛部６が上昇する。また、握持部４を解放することにより上記同様に回動し定位置へと戻る。これにより広範囲にそして円滑に開閉する。【００２２】  また、上記動作にて、楕円状回動部６ａ及び側面６ｂは回動溝５ｂへと進入して行き回動する。この時、楕円状回動部６ａ及び側面６ｂは回動溝下部の５ｃより突出することなく回動する。以上請求項２記載のハンガーに係るのものである。【００２３】  図１、２に示す、握持部１、掛部２、フレーム部３が一体形となる一方の、握持部１からフック部８が形成される。【００２４】  上記構成の動作を説明する。このフック部８は、風などの衝撃による開閉する一方の掛部の上昇を防止するため、握持部１掛部２フレーム部３が一体形となる開閉しない一方の握持部からなり形成される。逆の開閉する一方の握持部４からフック部が形成され、衣類が掛けられ物干し竿等に吊り下げられた場合、風などの衝撃を一体形となる開閉しない方面の側面から受けると、開閉する一方の握持部４が閉じられ掛部６が上昇してしまう場合がある、このような影響を回避するため、開閉しない一方の握持部１からフック部８が形成されている。これにより風などの衝撃による開閉する一方の掛部６の上昇を防止する。以上請求項３記載のハンガーに係るものである。【００２５】  一体形となる開閉しない一方からは、強化部材９が有する、このものは、ハンガー状形状をしっかりと形成するため及び回動部Ｃがぐらつくのを防ぐためのものであり、握持部１、掛部２などからフレーム部へと形成する。また広範囲に有する場合などは、握持部が閉じられることにより、ハンガー内側へと移動する形状に対して凹面状の形状となり適応する。【００２６】  握持部１は掛部から上部へと湾曲し垂直状に形成する、そして上部には滑り止めとなる指の形状に適応する突起した部分１ｃが設けられている。これらのものは、前記記載の使用例にて衣類の片方に挿入され保持される時、衣類の重量が一体形となる握持部１に生じるため、握持部１が握られた手から滑り落ちてしまうのを防止するためのものである、握持部１には、人差指、中指、薬指、小指が位置し突起した部分１ｃと人差指とが接触し防止する。また、垂直状に形成することにより、より効果が得られる【００２７】  握持部４には親指が位置し掛部から上部へと湾曲し傾斜する、そして親指が位置する部分にて垂直状に形成する。また、親指が位置する部分にて左右どちらかに幾分傾斜した形状にて形成してもよい。【００２８】  フレーム部７は、回動部Ｃから上部へと傾斜した形状にて形成する、このものは握持部４が閉じられ掛部６が上昇した時、フレーム部７は垂直状となり、ハンガーの出し入れをおこない易くするためるためである。また、回動部Ｂ、Ｃの位置を変更することにより、例えば回動部Ｂの位置を少し外寄りに取りつけると、フレーム部７は傾斜しなくても垂直状となりこの場合も実施可能である【００２９】  図７に示す。回動溝下部の５ｃは、握持部１へと移動する側面及び下面に底面を有し形成する。このものは、移動する楕円状回動部６ａ及び側面６ｂが、襟首からなるボタン止される衣類の折り合わせ目などに引っ掛かったりしないように保護するため底面が設けられる。【００３０】  以上本発明の実施形態について説明を終えるが、要旨の範囲内に於て変形実施可能である。例えば、請求項１記載のハンガーに於ては、握持部１、４は掛部及びフレーム部が対象となる同じ方面に有するが回動部Ａにて交差し、延長線状となる上部にて握持部が形成され開閉操作することも可能である。このものは、握持部４は回動部Ａにて交差し、延長線状に一体形となる方面に位置し握持部が形成され、握持部１も同様に開閉が可能とする方面に位置することで開閉操作を可能とするものである。また、この場合延長線状となる上部に位置する。また、握持部１は垂直にまたは垂直面を有する形状にすることでより扱い良いものとなる。【００３１】  また、請求項２記載のハンガーに於ては  楕円状回動部は、掛部に有する回動部Ｂの位置に有しているが、下部のフレーム部に有する回動部Ｃの位置に楕円状回動部を有することも可能である。このものは、フレーム部に有する回動部Ｃの位置に楕円状回動部が設けられ、回動部Ｂの位置にフレーム部に有する回動部Ｃと同様の回動部が設られるものである。この場合開閉すると、楕円状回動部は下部及び側面に突出するため、フレーム部よりも上部にそして回動部Ｃよりも一体形寄りに形成し、突出する楕円状回動部が保護される。また、フレーム部３は突出する楕円状回動部の部分を保護するため回動部Ｃの位置まで傾斜した形状でもよい。
【図面の簡単な説明】
【００３２】
【図１】  平面図
【図２】  握持部が閉じられ掛部が上昇した平面図
【図３】  衣類の片方が保持された平面図
【図４】  掛部が上昇した平面図
【図５】  衣類の片方が持ち上げられ内部へ進入した平面図
【図６】  握持部が解放されハンガー状に復元された平面図
【図７】  回動部平面図
【符号の説明】
【００３３】１−    握持部                ６ｂ−  楕円状回動部側面
１ｃ−  滑り止めとなる突起部  ７−    フレーム部
２−    掛部                  ８−    フック部
３−    フレーム部            ９−    強化部材
４−    握持部                １０−  強化部材
５−    握持部からなる掛部
５ａ−  回動軸部              Ａ−    回動部
５ｂ−  回動溝                Ｂ−    掛部に有する回動部
５ｃ−  回動溝下部            Ｃ−    フレーム部に有する回動部
６−    掛部                  Ｄ−    バネ
６ａ−  楕円状回動部          Ｅ−    衣類及び衣類が持たれる部分
【図１】
2006122628.tif 000003
【図２】
2006122628.tif 000004
【図３】
2006122628.tif 000005
【図４】
2006122628.tif 000006
【図５】
2006122628.tif 000007
【図６】
2006122628.tif 000008
【図７】
2006122628.tif 000009